(57)【要約】      （修正有）【課題】非使用時には機器をカバーして汚れ、損傷等から機器を保護し、使用時はカバーをスタンドとして利用できるようにした使い勝手の良い薄型機器のカバーを提供する。【解決手段】薄型機器１の表裏を挟んで保持するカバーであって、機器の裏面を覆う裏面カバー片２と機器の表面を覆う表面カバー片３が連接部４を介して折り曲げ自在に繋がり、裏面カバー片は連接部と平行な略中央部に屈曲可能な折曲部５を有し、かつ、機器の背部に対向する内面に機器保持吸盤６を有している。【選択図】図３
0003187010.tif 000002
【実用新案登録請求の範囲】
【請求項１】
薄型機器１の表裏を挟んで保持するカバーであって、機器１の裏面を覆う裏面カバー片２と機器１の表面を覆う表面カバー片３が連接部４を介して折り曲げ自在に繋がり、裏面カバー片２は連接部４と平行な略中央部に屈曲可能な折曲部５を有し、かつ、その裏面カバー片２における機器１の背部に対向する内面に機器保持吸盤６を施して成る薄型機器のカバー。 
【考案の詳細な説明】
【技術分野】
【０００１】
本考案はスマートフォン、タブレット等の薄型機器の表裏を覆うカバーであって、必要時には簡単にスタンドとしても使用できるようにした薄型機器のカバーに関するものである。
【背景技術】
【０００２】
従来より、スマートフォンやタブレットのような薄型電子機器は、汚れや表面の傷付きを防止するため、非使用時はカバーで覆うようにされることが多い。また、使用時は機器が薄型であるために、手で持たないときはスタンドに立てないと斜めに保持して画面を見ることができず、カバーとは別に専用のスタンドが必要となり、不便であった。
【０００３】
これを解消するために、特許文献１のように、カバー自体にスタンドの機能を持たせたものもあるが、機器を保持する部材が機器の前面の一部に掛かるため、機器の前面の画面を隠して見辛い場合があった。また、機器の装着も煩わしいものであった。
【特許文献１】実用新案登録第３１８２４８８号公報
【考案の開示】
【考案が解決しようとする課題】
【０００４】
本考案は、非使用時は機器をカバーして汚れ、損傷等から機器を保護し、使用時はカバーをスタンドとして利用できるようにした使い勝手の良い薄型機器のカバーを提供しようとするものである。
【課題を解決するための手段】
【０００５】
本考案の主たる特徴は、薄型機器１の表裏を挟んで保持するカバーであって、機器１の裏面を覆う裏面カバー片２と機器１の表面を覆う表面カバー片３が連接部４を介して折り曲げ自在に繋がり、裏面カバー片２は連接部４と平行な略中央部に屈曲可能な折曲部５を有し、かつ、その裏面カバー片２における機器１の背部に対向する内面に機器保持吸盤６を施したことである。
【考案の効果】
【０００６】
本考案にあっては上述のようにしたから、機器１の非使用時はカバーとして機器の表裏を包んで保護し、必要なときはカバーを開き、裏面カバー片２を折曲部５で折り曲げて機器の自由な一側辺を表面カバー片３の適所に接地して機器１を斜めに保持し、スタンドとしてそのまま使用できる便利なものである。しかも機器１は背面が機器保持吸盤６で裏面カバー片２に保持されるため、機器１の保持のために表面のいずれも隠されることがなく、画像等を快適に観ることができる。しかも、機器１の背面は機器保持吸盤６で保持されているだけなので、外して付け直すことにより、横型のみならず、縦向きでも斜めでも自由に決めることもできる。装着も、機器１の背面を機器保持吸盤６に押し当てるだけなので、極めて簡単である。
【考案を実施するための最良の形態】
【０００７】
図１は本考案の一実施例の概略を示すもので、薄型機器１の表裏を挟むカバーは、機器１の裏面を覆う裏面カバー片２と、機器１の表面を覆う表面カバー片３を折り畳み自在な連接部４で連なって形成されている。裏面カバー片２は連接部４と平行な略中央部で山折可能な折曲部５を有し、かつ、その裏面カバー片２の機器１の背部に対向する内面に機器保持吸盤６が施される。７は表裏面カバー片３、２の結束片であり、また適所にレンズ用透口８、端子接続用透口９等が施される。１０は滑り止め面で、スタンドとして使用する際、機器１を任意の角度で保持できる。シリコンやウレタン等の軟質素材であれば表面がそのまま滑り止め面１０となるが、硬質樹脂や金属、竹、木質材、セラミック等の硬質平滑表面を持つ素材の場合は必要に応じて滑り止め面１０の処理を施せばよく、その他、布、紙、或いはこれらの複合素材等、任意の素材から選ぶことができる。１１は名刺やレシート等を入れるポケットである。
【０００８】
（作用の説明）
機器１を使用しないときは、図２のように機器１の表裏を表裏カバー片３、２で包み込み、機器１外面を汚損から保護する。この時、必要に応じて結束片７で両カバー片２、３を緊結することができる。結束片７はベロクロファスナー、ホック、紐、磁着等任意のものを使用できる。また機器１の背面は、裏面カバー片３の機器保持吸盤６により保持される。機器保持吸盤６は縦横複数列行に配列されている。
【０００９】
手に持って、あるいは机の上におくなどして機器１を使用するときは、表面カバー片３を開き、機器１の表面が見えるようにして操作し、使用することができる。また、スタンドして使用するときは、図３のように裏面カバー片２を折曲部５で裏面カバー片２の外側縁が、表面カバー片３より遠ざかるように、換言すれば、折曲部５が表面カバー片３に近付くように折り曲げると、機器保持吸盤６の内、連接部４の近いものの吸着が機器１より外れ、表面カバー片３の連接部４より反対の方に移動でき、任意の角度で止めてスタンドとして使用できる。この場合は、機器保持吸盤６は折曲部５に対応する部分に存在しないように配置すると、機器保持吸盤６に無理な変形が加わらず、好ましい。
【００１０】
この時、図４のように機器保持吸盤６の内、折曲部５から連接部４の間を、裏面カバー片２に固着せず、離間自在としておいてもかまわない。この場合は折曲部５に対応する部分に機器保持吸盤６を配置しても問題はない。また機器保持吸盤６は図５のように折曲部５から連接部４の間は割愛することもできる。この時はクッション材などの嵩上げ部材１２をその部分に配置したり、或いはその部分だけ一体的に厚くするなどすれば、スタンドとして使用しない時に、機器１が裏面カバー片２に対して傾かないように対応できる。
【００１１】
尚、連接部４、折曲部５は、素材が樹脂系であれば、薄肉部にして折曲自在とすることができるのは勿論、その他、蝶番やバインダーなどのリング接続等、折り曲げ可能な手段であれば任意である。
【産業上の利用可能性】
【００１２】
本考案は、スマートフォンやタブレット等の薄型機器１の非使用時の汚損の保護カバーであり、またそのカバーをそのままスタンドとして併用できるものであって、例えばテレビ受像や動画、スライドショー等を楽しむ際、便利である。また、カバーとしての使用時も、機器保持吸盤６により機器１が裏面カバー片２に保持されるので、カバーから機器１が滑り落ちる惧れもなく、安全に使用できる。更にはスタンドとして使用するときも、機器１の背面は機器保持吸盤６で保持されているので、特殊な回転機構を要することなく、縦置き、横置きのいずれでも対応できる。しかも機器１の保持のために機器１の前面の角なども隠されることがなく、画面の隅々まですっきりとストレスなく観ることができる。機器１の装着も機器保持吸盤６の押し当てるだけで良いので、簡単に装着できる。また、表面カバー片３の外面を例えば両面テープや面上テープで車内の適所に固定すれば、簡易ナビゲーション装置としても使用できる。
【図面の簡単な説明】
【００１３】
【図１】本考案の一実施例の概略分解斜視図。
【図２】同上のカバーとしての使用状態の斜視図。
【図３】同上のスタンドとしての使用状態の斜視図。
【図４】同上の機器保持吸盤の他の実施例の作用説明図。
【図５】同上の機器保持吸盤の更に他の実施例の作用説明図。
【符号の説明】
【００１４】
１は（薄型）機器、２は裏面カバー片、３は表面カバー片、４は連接部、５は折曲部、６は機器保持吸盤。
【図１】
0003187010.tif 000003
【図２】
0003187010.tif 000004
【図３】
0003187010.tif 000005
【図４】
0003187010.tif 000006
【図５】
0003187010.tif 000007
【手続補正書】
【提出日】平成25年8月29日(2013.8.29)
【手続補正１】
【補正対象書類名】実用新案登録請求の範囲
【補正対象項目名】請求項１
【補正方法】変更
【補正の内容】
【請求項１】
薄型機器の表裏を挟んで保持するカバーであって、薄型機器の裏面を覆う裏面カバー片と薄型機器の表面を覆う表面カバー片が連接部を介して折り曲げ自在に繋がり、裏面カバー片は連接部と平行な略中央部に屈曲可能な折曲部を有し、かつ、その裏面カバー片における薄型機器の背部に対向する内面に機器保持吸盤を施して成る薄型機器のカバー。
【手続補正２】
【補正対象書類名】明細書
【補正対象項目名】０００８
【補正方法】変更
【補正の内容】
【０００８】
（作用の説明）
薄型機器１を使用しないときは、図２のように薄型機器１の表裏を表裏カバー片３、２で包み込み、薄型機器１外面を汚損から保護する。この時、必要に応じて結束片７で両カバー片２、３を緊結することができる。結束片７は面ファスナー、ホック、紐、磁着等任意のものを使用できる。また薄型機器１の背面は、裏面カバー片３の機器保持吸盤６により保持される。機器保持吸盤６は縦横複数列行に配列されている。